(57)【特許請求の範囲】
【請求項１】
室内の側壁に設置される空気調和機であって、
調和空気を吹出口に案内する上スクロール（１４１）と下スクロール（１４２）を持つ案内流路（１１３）が形成された本体ケーシング（１１０）と、
前記上スクロール又は前記上スクロールの延長面近傍に設定されている回動中心が上流側端部にあり、前記吹出口から吹き出される前記調和空気の風向を調整する第１風向調整部材（１５０）と、
前記第１風向調整部材から前記側壁に向かう方向に離れて位置し、前記下スクロール又は前記下スクロールの延長面近傍に設定されている回動中心が上流側端部にあり、前記風向を調整する第２風向調整部材（１６０）と、
前記第１風向調整部材と前記第２風向調整部材の間に位置し、前記上スクロール又は前記上スクロールの延長面近傍に設定されている回動中心が上流側端部にあり、前記風向を調整する第３風向調整部材（１７０）と、
前記風向を鉛直下向きの成分を含む第１方向に調整する場合に、前記第２風向調整部材および前記第３風向調整部材を利用すると共に、前記案内流路および前記案内流路に続く吹出流路（１１４）から外れた待避位置に前記第１風向調整部材を移動させる制御部（１８０）と、
を備える空気調和機（１００）。
【請求項２】
前記制御部は、前記風向を、前記鉛直下向きの成分を含み、かつ、前記第１方向とは異なる第２方向に調整する場合に、前記第２風向調整部材および前記第３風向調整部材に加えて、前記第１風向調整部材を利用し、
前記第３風向調整部材は、前記第１風向調整部材と共に前記調和空気を導くガイド面を形成する、
請求項１に記載の空気調和機。
【請求項３】
前記制御部は、暖房運転時に、前記第２方向として、前記側壁に向かう方向に前記風向を調整する、
請求項２に記載の空気調和機。
【請求項４】
前記第２方向に調整された前記調和空気は、前記第１方向に調整された前記調和空気よりも前記側壁に寄っている、
請求項２に記載の空気調和機。
【請求項５】
前記第３風向調整部材は、前記案内流路において、前記第１風向調整部材よりも前記調和空気の流れの上流側に配置されている、
請求項１から請求項４のいずれか１項に記載の空気調和機。
【請求項６】
前記第３風向調整部材の短手方向の幅は、前記第１風向調整部材の短手方向の幅よりも狭い、
請求項１から請求項５のいずれか１項に記載の空気調和機。
【請求項７】
前記第１風向調整部材は、前記第２風向調整部材に対向し得る側の第１ガイド面（１５２）及びテーパ部（１５３）を有し、
前記第１ガイド面及び前記テーパ部は、前記第１風向調整部材が水平姿勢をとる場合または前記第１風向調整部材の先端が水平よりも鉛直方向上側に位置する場合に、前記吹出口から吹き出される前記調和空気を鉛直上向きの成分を含む方向へ導く、
請求項１から請求項６のいずれか１項に記載の空気調和機。
【請求項８】
前記制御部は、前記第１風向調整部材、前記第２風向調整部材、および前記第３風向調整部材のそれぞれの、水平面に対する傾斜角度を制御することによって、前記第１風向調整部材、前記第２風向調整部材、および前記第３風向調整部材のそれぞれの姿勢を制御する、
請求項１から請求項７のいずれか１項に記載の空気調和機。
【発明の詳細な説明】
【技術分野】
【０００１】
本発明は、空気調和機に関する。
【背景技術】
【０００２】
吹出口の吹出角度を前方上方乃至後方下方に変更する風向可変部を備える空気調和機が知られている（特許文献１（特開２００５−１６４０６６号公報）参照）。
【発明の概要】
【発明が解決しようとする課題】
【０００３】
空気調和機が調和空気の風向を調整する場合に、風向を調整する部材が調和空気の流れを妨げる抵抗として作用することがある。そうすると、吹出口から吹き出される調和空気の風量は低減してしまう。
【０００４】
本発明の課題は、調和空気の風量の低減を抑制する空気調和機を提供することである。
【課題を解決するための手段】
【０００５】
本発明の第１観点に係る空気調和機は、室内の側壁に設置される。空気調和機は、本体ケーシングと、第１風向調整部材と、第２風向調整部材と、第３風向調整部材と、制御部とを備える。本体ケーシングには、調和空気を吹出口に案内する上スクロールと下スクロールを持つ案内流路が形成されている。第１風向調整部材、第２風向調整部材、および第３風向調整部材のそれぞれは、吹出口から吹き出される調和空気の風向を調整する。第２風向調整部材は、第１風向調整部材から側壁に向かう方向に離れて位置する。第３風向調整部材は、第１風向調整部材と第２風向調整部材の間に位置する。第１風向調整部材は、下スクロール又は下スクロールの延長面近傍に設定されている回転中心が上流側端部にある。第２風向調整部材は、下スクロール又は下スクロールの延長面近傍に設定されている回転中心が上流側端部にある。上スクロール又は上スクロールの延長面近傍に設定されている回転中心が上流側端部にある。制御部は、風向を第１方向に調整する場合に、第２風向調整部材および第３風向調整部材を利用すると共に、第１風向調整部材を待避位置に移動させる。第１方向は、鉛直下向きの成分を含む方向である。待避位置は、案内流路および案内流路に続く吹出流路から外れた位置である。
【０００６】
本発明の第１観点に係る空気調和機では、制御部は、風向を第１方向に調整する場合に、第２風向調整部材および第３風向調整部材を利用する。つまり、制御部は、第１風向調整部材と第２風向調整部材の間に位置することによって、本来であれば抵抗として作用し得る第３風向調整部材を、第２風向調整部材と共に、風向の調整に積極的に利用している。それと同時に、第３風向調整部材を風向の調整に利用する場合に、逆に抵抗として作用し得る第１風向調整部材を待避位置に移動させる。以上により、調和空気の風量の低減を抑制することができる。
【０００７】
本発明の第２観点に係る空気調和機においては、制御部は、風向を第２方向に調整する場合に、第２風向調整部材および第３風向調整部材に加えて、第１風向調整部材を利用する。第２方向は、鉛直下向きの成分を含み、かつ、第１方向とは異なる方向である。第３風向調整部材は、第１風向調整部材と共に調和空気を導くガイド面を形成する。
【０００８】
本発明の第２観点に係る空気調和機では、第２風向調整部材および第３風向調整部材に加えて、第１風向調整部材を利用することにより、第２風向調整部材および第３風向調整部材のみを利用した場合とは異なる風向を実現することができる。多様な風向を実現することができるので、利用者の要求に沿った風向を提供することが期待できる。
【０００９】
本発明の第３観点に係る空気調和機においては、制御部は、暖房運転時に、第２方向として、側壁に向かう方向に風向を調整する。
【００１０】
本発明の第３観点に係る空気調和機では、制御部が、暖房運転時に、側壁に向かう方向に風向を調整するので、調和空気である暖かな空気を壁に沿わせて床面に到達させることが期待できる。暖かな空気が床面に到達することによって、空気調和機が設置された部屋を均一に暖めることができる。
【００１１】
本発明の第４観点に係る空気調和機においては、第２方向に調整された調和空気は、第１方向に調整された調和空気よりも側壁に寄っている。すなわち、第２方向は、第１方向よりも側壁に寄っている。
【００１２】
本発明の第４観点に係る空気調和機では、制御部は、風向を第１方向に調整するか、または第２方向に調整するかによって、第１風向調整部材、第２風向調整部材、および第３風向調整部材のいずれを利用するかを異ならせる。すなわち、第１風向調整部材、第２風向調整部材、および第３風向調整部材を風向に応じて使い分けることができる。これにより、風向に適した制御を行うことができる。
【００１３】
本発明の第５観点に係る空気調和機においては、第３風向調整部材は、案内流路において、第１風向調整部材よりも調和空気の流れの上流側に配置されている。
【００１４】
本発明の第５観点に係る空気調和機では、第３風向調整部材が、案内流路において、第１風向調整部材よりも調和空気の流れの上流側に配置されているので、調和空気の風向がより上流側で調整される。これにより、調和空気の風向が第２方向に調整される場合に、調和空気は第２風向調整部材に沿い易くなる。
【００１５】
本発明の第６観点に係る空気調和機においては、第３風向調整部材の短手方向の幅は、第１風向調整部材の短手方向の幅よりも狭い。
【００１６】
本発明の第６観点に係る空気調和機では、第３風向調整部材の短手方向の幅が、第１風向調整部材の短手方向の幅よりも狭いので、第３風向調整部材は、本体ケーシング内の限られた空間に収容され易い。
【００１７】
本発明の第７観点に係る空気調和機においては、第１風向調整部材は、第２風向調整部材に対向し得る側の第１ガイド面及びテーパ部を有する。第１ガイド面及びテーパ部は、第１風向調整部材が水平姿勢をとる場合または第１風向調整部材の先端が水平よりも鉛直方向上側に位置する場合に、吹出口から吹き出される調和空気を鉛直上向きの成分を含む方向へ導く。
【００１８】
本発明の第７観点に係る空気調和機では、鉛直上向きの成分を含む方向へ風向が調整される場合に、第１風向調整部材のテーパ部によって、当該方向へ風向をより容易に導くことができる。一方、制御部は、鉛直下向きの成分を含む第１方向に風向を調整する場合に、第１風向調整部材を案内流路および吹出流路から外れた待避位置に移動させるので、第１風向調整部材による影響を低減することができる。すなわち、鉛直上向きの成分を含む方向へ流れる調和空気の風量を低減することができる。
【００１９】
本発明の第８観点に係る空気調和機においては、制御部は、第１風向調整部材、第２風向調整部材、および第３風向調整部材のそれぞれの、水平面に対する傾斜角度を制御することによって、第１風向調整部材、第２風向調整部材、および第３風向調整部材のそれぞれの姿勢を制御する。
【００２０】
本発明の第８観点に係る空気調和機では、制御部が、第１風向調整部材、第２風向調整部材、および第３風向調整部材のそれぞれの姿勢を制御することにより、調和空気の風向を調整することができる。
【発明の効果】
【００２１】
本発明に係る空気調和機では、調和空気の風量の低減を抑制することができる。
【図面の簡単な説明】
【００２２】
【図１】本発明の一実施形態に係る空気調和機の外観斜視図である。
【図２】後方下側に風向を調整している状態の空気調和機の断面図である。
【図３】前方下側に風向を調整している状態の空気調和機の断面図である。
【図４】前方下側に風向を調整している状態の空気調和機の断面図である。
【図５】運転を停止している状態の空気調和機の断面図である。
【図６】空気調和機の機能ブロック図である。
【発明を実施するための形態】
【００２３】
本発明の実施形態を以下に示す。なお、以下の実施形態は、具体例に過ぎず、特許請求の範囲に係る発明を限定するものではない。
【００２４】
＜第１実施形態＞
（１）空気調和機の構成
図１は、本発明の一実施形態に係る空気調和機１００の外観斜視図である。図２、図３、図４、および図５は、空気調和機１００の断面図である。本明細書では、「前」、「後」、「上」、「下」、「左」、および「右」の６つの方向は、図１に示されるように定義される。
【００２５】
空気調和機１００は、室内の側壁に設置される。詳しくは後述するが、空気調和機１００は、第１方向である前方下側または第２方向である後方下側に調和空気の風向を調整することができる。図１および図２は、後方下側に風向を調整している状態の空気調和機１００を示す。図３および図４は、前方下側に風向を調整している状態の空気調和機１００を示す。図５は、運転を停止している状態の空気調和機１００を示す。
【００２６】
空気調和機１００は、主として、本体ケーシング１１０、室内ファン１２０、室内熱交換器１３０、フレーム１４０、第１風向調整部材１５０、第２風向調整部材１６０、および第３風向調整部材１７０を備える。
【００２７】
（１−１）本体ケーシング
本体ケーシング１１０は、室内ファン１２０、室内熱交換器１３０、およびフレーム１４０等を収納する。本体ケーシング１１０の上部には、吸込口が形成されている。本体ケーシング１１０の下部の中央付近には、調和空気を吹き出す吹出口１１１が形成されている。本体ケーシング１１０の下部の前方付近には、収容部１１２が形成されている。収容部１１２は、本体ケーシング１１０の内側に窪んだ領域である。窪みの深さは、第１風向調整部材１５０の厚みに合うように設定されている。本体ケーシング１１０の内部には、調和空気を吹出口１１１に案内する案内流路１１３が形成されている。
【００２８】
（１−２）室内ファン
室内ファン１２０は、フレーム１４０に取り付けられている。室内ファン１２０は、本体ケーシング１１０の、上下方向における略中央部分に位置している。室内ファン１２０は、クロスフローファンである。室内ファン１２０は、ファンモータに接続されている。ファンモータの駆動によって室内ファン１２０が回転すると、室内の空気は、上述の吸込口から本体ケーシング１１０の内部に吸い込まれる。吸い込まれた空気は、室内熱交換器１３０を通過した後、案内流路１１３を案内されて、最終的に吹出口１１１から吹き出される。
【００２９】
（１−３）室内熱交換器
室内熱交換器１３０は、フレーム１４０に取り付けられている。室内熱交換器１３０は、室内ファン１２０の一部を覆うように位置している。より詳細には、室内熱交換器１３０は、室内ファン１２０の上部付近、すなわち、室内ファン１２０の前方下側付近から室内ファン１２０の後方上側付近にかけて、位置している。室内熱交換器１３０は、室内の空気と熱交換することによって、冷房運転時に冷媒の蒸発器として機能し、暖房運転時に冷媒の放熱器として機能する。
【００３０】
（１−４）フレーム
フレーム１４０は、室内ファン１２０および室内熱交換器１３０を取り付けるための部材である。フレーム１４０は、上スクロール１４１と下スクロール１４２を含む。上スクロール１４１および下スクロール１４２は、案内流路１１３を形成している。
【００３１】
（１−５）第１風向調整部材
第１風向調整部材１５０は、本体ケーシング１１０の下部に回動自在に取り付けられている。第１風向調整部材１５０は、吹出口１１１付近に位置している。第１風向調整部材１５０は、吹出口１１１から吹き出される調和空気の風向を調整する。
【００３２】
第１風向調整部材１５０は、第１駆動部１５１（図６参照）に接続されている。第１駆動部１５１は、例えば、ステッピングモータである。第１駆動部１５１が第１風向調整部材１５０を回動させることによって、第１風向調整部材１５０は、水平面に対する傾斜角度が互いに異なる複数の姿勢をとることができる。
【００３３】
第１風向調整部材１５０は、調和空気をガイドする第１ガイド面１５２を有する。第１ガイド面１５２は、図２に示す第１風向調整部材１５０の姿勢において、第１風向調整部材１５０のうち第２風向調整部材１６０に対向する側の面である。第１ガイド面１５２には、テーパ部１５３が設けられている。テーパ部１５３は、第１ガイド面１５２の先端に位置している。第１風向調整部材１５０が水平姿勢をとる場合、または第１風向調整部材１５０の先端が水平よりも上側に位置する場合に、テーパ部１５３は、吹出口１１１から吹き出される調和空気を鉛直上向きの成分を含む方向へ導く。すなわち、調和空気は、第１風向調整部材１５０のテーパ部１５３に沿って、水平または水平よりも上向きの方向に送り出される。
【００３４】
第１ガイド面１５２には、テーパ部１５３とは反対側の端部付近に段差部１５４が設けられている。段差部１５４は、第１ガイド面１５２のうち第１風向調整部材１５０の厚み方向に窪んだ部分である。
【００３５】
（１−６）第２風向調整部材
第２風向調整部材１６０は、本体ケーシング１１０の下部に回動自在に取り付けられている。第２風向調整部材１６０は、吹出口１１１付近に位置している。第２風向調整部材１６０は、第１風向調整部材１５０、第２風向調整部材１６０、および第３風向調整部材１７０のうち、最も後方に位置している。すなわち、第２風向調整部材１６０は、第１風向調整部材１５０から側壁に向かう方向に離れて位置している。第２風向調整部材１６０は、吹出口１１１から吹き出される調和空気の風向を調整する。
【００３６】
第２風向調整部材１６０は、第２駆動部１６１（図６参照）に接続されている。第２駆動部１６１は、例えば、ステッピングモータである。第２駆動部１６１が第２風向調整部材１６０を回動させることによって、第２風向調整部材１６０は、水平面に対する傾斜角度が互いに異なる複数の姿勢をとることができる。
【００３７】
第２風向調整部材１６０は、調和空気をガイドする第２ガイド面１６２を有する。第２ガイド面１６２は、図２に示す第２風向調整部材１６０の姿勢において、第２風向調整部材１６０のうち第１風向調整部材１５０に対向する側の面である。
【００３８】
（１−７）第３風向調整部材
第３風向調整部材１７０は、本体ケーシング１１０の下部に回動自在に取り付けられている。第３風向調整部材１７０は、第１風向調整部材１５０と第２風向調整部材１６０の間に位置している。より詳細には、第３風向調整部材１７０は、案内流路１１３において、第１風向調整部材１５０よりも調和空気の流れの上流側に位置している。第３風向調整部材１７０は、吹出口１１１から吹き出される調和空気の風向を調整する。
【００３９】
第３風向調整部材１７０は、第３駆動部１７１（図６参照）に接続されている。第３駆動部１７１は、例えば、ステッピングモータである。第３駆動部１７１が第３風向調整部材１７０を回動させることによって、第３風向調整部材１７０は、水平面に対する傾斜角度が互いに異なる複数の姿勢をとることができる。
【００４０】
第３風向調整部材１７０は、調和空気をガイドする第３ガイド面１７２を有する。第３ガイド面１７２は、図２に示す第３風向調整部材１７０の姿勢において、第３風向調整部材１７０のうち第２風向調整部材１６０側の面である。
【００４１】
第３風向調整部材１７０は、第１風向調整部材１５０よりも小さい。より詳細には、第３風向調整部材１７０の短手方向（すなわち図２に示す第３風向調整部材１７０の姿勢における上下方向）の幅は、第１風向調整部材１５０の短手方向の幅よりも狭い。
【００４２】
（２）空気調和機の機能ブロック
図６は、空気調和機１００の機能ブロック図である。既に説明したように、空気調和機１００は、第１駆動部１５１、第２駆動部１６１、および第３駆動部１７１を備える。空気調和機１００は、制御部１８０をさらに備える。
【００４３】
制御部１８０は、ＣＰＵ、ＲＯＭおよびＲＡＭ等から構成されたコンピュータである。制御部１８０は、第１駆動部１５１、第２駆動部１６１、および第３駆動部１７１に接続されている。制御部１８０は、遠隔操作装置３００から各種の制御信号を受信する。制御信号として、運転モードに関する制御信号、および風向に関する制御信号等を挙げることができる。ユーザは、遠隔操作装置３００を操作することによって、運転モード、風向等を設定することができる。また、遠隔操作装置３００を操作することによって、空気調和機１００の電源をオンまたはオフすることができる。
【００４４】
制御部１８０は、風向に関する制御信号を受信すると、当該制御信号に応じて、第１駆動部１５１、第２駆動部１６１、および第３駆動部１７１の駆動を制御する。すなわち、第１風向調整部材１５０、第２風向調整部材１６０、および第３風向調整部材１７０のそれぞれの、水平面に対する傾斜角度を制御する。これにより、第１風向調整部材１５０、第２風向調整部材１６０、および第３風向調整部材１７０の姿勢を制御する。
【００４５】
（３）風向制御
制御部１８０は、運転モードに応じて、調和空気の風向を調整する。ここでは、運転モードは暖房に設定されているとする。
【００４６】
（３−１）前方下側
空気調和機１００は、互いに異なる複数の前方下側方向に風向を調整することができる。本実施形態においては、空気調和機１００は、図３および図４に示されるように、互いに異なる２つの前方下側方向に風向を調整する。図３に示す状態の空気調和機１００は、図４に示す空気調和機１００よりも、より前方に調和空気を送ることができる。
【００４７】
風向が前方下側方向に設定されている場合には、制御部１８０は、図３および図４に示されるように、第２風向調整部材１６０および第３風向調整部材１７０を利用して、調和空気の風向を調整する。具体的には、下記の通りである。
【００４８】
制御部１８０は、第２風向調整部材１６０が前方下向きに傾斜した姿勢をとるように、第２駆動部１６１の駆動を制御する。換言すると、第２風向調整部材１６０の鉛直方向上側の端部が第２風向調整部材１６０の鉛直方向下側の端部よりも側壁の側に位置するように、第２駆動部１６１の駆動を制御する。
【００４９】
制御部１８０は、第３風向調整部材１７０が前方下向きに傾斜した姿勢をとるように、第３駆動部１７１の駆動を制御する。換言すると、第３風向調整部材１７０の鉛直方向上側の端部が第３風向調整部材１７０の鉛直方向下側の端部よりも側壁の側に位置するように、第３駆動部１７１の駆動を制御する。
【００５０】
さらに、制御部１８０は、第１風向調整部材１５０を案内流路１１３および吹出流路１１４から外れた待避位置に移動させる。本実施形態においては、第１風向調整部材１５０を収容部１１２に収容する。吹出流路１１４は、案内流路１１３に続く領域であって、第２風向調整部材１６０と第３風向調整部材１７０により規定される流路である。吹出流路１１４は、図３および図４に破線で示されるように、第２風向調整部材１６０の先端の延長部分と、第３風向調整部材１７０の先端の延長部分とに挟まれた領域を含む。
【００５１】
調和空気は、第２風向調整部材１６０と第３風向調整部材１７０に挟まれた空間を通過する。第２風向調整部材１６０および第３風向調整部材１７０が前方下向きに傾斜しているので、調和空気を前方下側に導くことができる。
【００５２】
（３−２）後方下側
風向が後方下側方向に設定されている場合には、制御部１８０は、図２に示されるように、第１風向調整部材１５０、第２風向調整部材１６０、および第３風向調整部材１７０の全てを利用して、調和空気の風向を調整する。具体的には、下記の通りである。
【００５３】
制御部１８０は、第２風向調整部材１６０が後方下向きに傾斜した姿勢をとるように、第２駆動部１６１の駆動を制御する。換言すると、第２風向調整部材１６０の鉛直方向下側の端部が第２風向調整部材１６０の鉛直方向上側の端部よりも側壁の側に位置するように、第２駆動部１６１の駆動を制御する。
【００５４】
制御部１８０は、第１風向調整部材１５０が後方下向きに傾斜した姿勢をとるように、第１駆動部１５１の駆動を制御する。換言すると、第１風向調整部材１５０の鉛直方向下側の端部が第１風向調整部材１５０の鉛直方向上側の端部よりも側壁の側に位置するように、第１駆動部１５１の駆動を制御する。
【００５５】
さらに、制御部１８０は、第１風向調整部材１５０に連動するように第３風向調整部材１７０の姿勢を調整する。具体的には、第３風向調整部材１７０の先端が第１風向調整部材１５０の段差部１５４に接するように、第３風向調整部材１７０の姿勢を調整する。これにより、第３風向調整部材１７０は、第１風向調整部材１５０と共に調和空気を導くガイド面を形成する。すなわち、第１ガイド面１５２と第３ガイド面１７２が、あたかも一体に形成されたような略面一のガイド面を形成する。また、第１ガイド面１５２と第３ガイド面１７２の接触部分付近は、第１風向調整部材１５０の鉛直方向下側の端部、および第３風向調整部材１７０の鉛直方向上側の端部よりも、前方側に位置している。すなわち、第１ガイド面１５２と第３ガイド面１７２は、全体としては、前方に突き出た弓形の形状を成す。
【００５６】
調和空気は、第１風向調整部材１５０および第３風向調整部材１７０と、第２風向調整部材１６０とに挟まれた空間を通過する。第１風向調整部材１５０および第２風向調整部材１６０が後方下向きに傾斜しているので、調和空気を後方下側に導くことができる。後方下側（すなわち第２方向）に調整された調和空気は、前方下側（すなわち第１方向）に調整された調和空気よりも、側壁に寄っている。
【００５７】
（４）運転停止時の空気調和機
制御部１８０は、電源をオフする旨の制御信号を受信すると、第１風向調整部材１５０を収容部１１２に収容すると共に、吹出口１１１を閉じるように第２風向調整部材１６０の姿勢を制御する。さらに、制御部１８０は、電源をオフする旨の制御信号を受信すると、上スクロール１４１に形成された収容部に第３風向調整部材１７０を収容する。以上のような状態において、第１風向調整部材１５０と第２風向調整部材１６０は、本体ケーシング１１０と一体的に空気調和機１００の意匠を構成する。
【００５８】
（５）空気調和機の特徴
本実施形態の空気調和機１００においては、制御部１８０は、風向を前方下側方向に調整する場合に、第２風向調整部材１６０および第３風向調整部材１７０を利用する。つまり、制御部１８０は、第１風向調整部材１５０と第２風向調整部材１６０の間に位置することによって、本来であれば抵抗として作用し得る第３風向調整部材１７０を、第２風向調整部材１６０と共に、風向の調整に積極的に利用している。それと同時に、第３風向調整部材１７０を風向の調整に利用する場合に、逆に抵抗として作用し得る第１風向調整部材１５０を待避位置に移動させる。以上により、調和空気の風量の低減を抑制することができる。
【００５９】
本実施形態の空気調和機１００においては、制御部１８０は、風向を後方下側方向に調整する場合に、第２風向調整部材１６０および第３風向調整部材１７０に加えて、第１風向調整部材１５０を利用する。そして、第３風向調整部材１７０は、第１風向調整部材１５０と共に調和空気を導くガイド面を形成する。第１風向調整部材１５０および第３風向調整部材１７０が、あたかも一体となってガイド面を形成することにより、調和空気は、第１風向調整部材１５０と第３風向調整部材１７０の間に侵入し難くなる。第１風向調整部材１５０と第３風向調整部材１７０の間に侵入することによる、調和空気の風量の損失を低減することができるので、吹出口１１１から吹き出される調和空気の風量の低減を抑制できる。
【００６０】
第１ガイド面１５２と第３ガイド面１７２が、全体として、前方に突き出た弓形の形状を成すので、調和空気を弓形の形状に沿わせることができる。これにより、調和空気の風向をより抵抗なく後方下側方向に調整することができる。
【００６１】
また、第２風向調整部材１６０および第３風向調整部材１７０に加えて、第１風向調整部材１５０を利用することにより、第２風向調整部材１６０および第３風向調整部材１７０のみを利用した場合とは異なる風向を実現することができる。多様な風向を実現することができるので、利用者の要求に沿った風向を提供することが期待できる。
【００６２】
本実施形態の空気調和機１００においては、制御部１８０は、暖房運転時に、後方下側方向、すなわち、側壁に向かう方向に風向を調整する。これにより、調和空気である暖かな空気が壁を経由して床面に到達することが期待できる。暖かな空気が床面に到達することによって、空気調和機が設置された部屋を均一に暖めることが期待できる。
【００６３】
本実施形態の空気調和機１００においては、第１方向は前方下側、すなわち側壁から離れる方向であり、第２方向は後方下側、すなわち側壁に向かう方向である。換言すると、第２方向に調整された調和空気は、第１方向に調整された調和空気よりも側壁に寄っている。
【００６４】
制御部１８０は、風向を側壁から離れる方向に調整するか、または側壁に向かう方向に調整するかによって、第１風向調整部材１５０、第２風向調整部材１６０、および第３風向調整部材１７０のいずれを利用するかを異ならせる。すなわち、第１風向調整部材１５０、第２風向調整部材１６０、および第３風向調整部材１７０を風向に応じて使い分けることができる。
【００６５】
風向が側壁から離れる方向に調整される場合には、図３に示されるように、案内流路１１３から吹出流路１１４は、直線状に通じている。または、図４に示されるように、案内流路１１３から吹出流路１１４は、比較的緩やかな曲線状に通じている。したがって、第１風向調整部材１５０よりも小さい第３風向調整部材１７０であっても、十分に風向を調整することができる。
【００６６】
一方、風向が側壁に向かう方向に調整される場合には、図２に示されるように、案内流路１１３から吹出流路１１４は、急な曲線状に通じている。したがって、第３風向調整部材１７０に加えて第１風向調整部材１５０によって、風向を調整する。第１風向調整部材１５０よりも大きい第３風向調整部材１７０に調和空気を沿わせた上で、第２風向調整部材１６０側に導くので、後方下側方向に効率的に風向を調整することができる。
【００６７】
本実施形態の空気調和機１００においては、第３風向調整部材１７０は、案内流路１１３において、第１風向調整部材１５０よりも調和空気の流れの上流側に配置されている。調和空気の風向がより上流側で調整されることにより、風向が後方下側方向に調整される場合に、調和空気は第２風向調整部材１６０に沿い易くなる。
【００６８】
本実施形態の空気調和機１００においては、第３風向調整部材１７０の短手方向の幅は、第１風向調整部材１５０の短手方向の幅よりも狭い。したがって、第３風向調整部材１７０は、本体ケーシング１１０内の限られた空間に収容され易い。
【００６９】
本実施形態の空気調和機１００においては、第１風向調整部材１５０はテーパ部１５３を有する。したがって、鉛直上向きの成分を含む方向へ風向が調整される場合に、第１風向調整部材１５０のテーパ部１５３によって、当該方向へより容易に導くことができる。一方、制御部１８０は、前方下側方向に風向を調整する場合に、第１風向調整部材１５０を案内流路１１３および吹出流路１１４から外れた待避位置に移動させるので、第１風向調整部材１５０による影響を低減することができる。すなわち、鉛直上向きの成分を含む方向へ流れる調和空気の風量を低減することができる。
【００７０】
本実施形態の空気調和機１００においては、制御部１８０は、第１風向調整部材１５０、第２風向調整部材１６０、および第３風向調整部材１７０のそれぞれの、水平面に対する傾斜角度を制御する。第１風向調整部材１５０、第２風向調整部材１６０、および第３風向調整部材１７０のそれぞれの姿勢を制御することにより、調和空気の風向を調整することができる。
【００７１】
＜変形例＞
本発明の実施形態に適用可能な変形例を説明する。
【００７２】
（１）変形例Ａ
以上の説明では、制御部１８０が側壁に向かう方向に調和空気の風向を調整する場合に、第１ガイド面１５２と第３ガイド面１７２は略面一であったが、面一でなくてもよい。第３風向調整部材１７０が第１風向調整部材１５０に重なることによって、第１ガイド面１５２と第３ガイド面１７２とが、段差状に形成されてもよい。第３風向調整部材１７０が第１風向調整部材１５０に乗り上げるように位置することにより、第３風向調整部材１７０が段差部１５４を覆うので、第１風向調整部材１５０と第３風向調整部材１７０の間に侵入する風量をより低減することができる。
【００７３】
（２）変形例Ｂ
以上の説明では、第３風向調整部材１７０は、本体ケーシング１１０の下部に回動自在に取り付けられていたが、進退自在に取り付けられてもよい。すなわち、第３風向調整部材１７０は円運動ではなく、直線運動してもよい。また、第３風向調整部材１７０は、本体ケーシング１１０の下部に、特定の姿勢を維持した状態で固定されていてもよい。この場合には、第３風向調整部材１７０の姿勢は不変であるので、制御部１８０は、第１風向調整部材１５０および第２風向調整部材１６０の姿勢のみを制御すればよい。
【００７４】
（３）変形例Ｃ
第２ガイド面１６２には、テーパ部が設けられていてもよい。テーパ部は、第２ガイド面１６２の先端に位置している。第２風向調整部材１６０が後方下向きに傾斜した姿勢をとる場合に、テーパ部は、吹出口１１１から吹き出される調和空気を後方下側へ導く。したがって、風向をより後方下側に導き易くなる。
【００７５】
第３ガイド面１７２には、逆テーパ部が設けられていてもよい。逆テーパ部は、第３ガイド面１７２の先端に位置している。第３風向調整部材１７０が後方下向きに傾斜した姿勢をとる場合、または略垂直な姿勢をとる場合に、逆テーパ部は、吹出口１１１から吹き出される調和空気を後方下側へ導く。これにより、風向をより後方下側に導き易くなる。
【００７６】
（４）変形例Ｄ
以上の説明では、風向が前方下側方向に設定されている場合に、制御部１８０は、第１風向調整部材１５０を収容部１１２に収容したが、案内流路１１３および吹出流路１１４から外れた位置であれば、収容部１１２に収容しなくてもよい。また、空気調和機１００は、互いに異なる３つ以上の前方下側方向に風向を調整してもよい。
【００７７】
（５）変形例Ｅ
以上の説明では、第１方向が前方下側であり、第２方向が後方下側であったが、第１方向および第２方向の両方が前方下側であってもよいし、第１方向および第２方向の両方が後方下側であってもよい。これらの場合にも、第２方向に調整された調和空気は、第１方向に調整された調和空気よりも側壁に寄っている。すなわち、第２方向は、第１方向よりも側壁に寄っている。したがって、例えば、第１方向および第２方向の両方が後方下側である場合に、風向を側壁により寄っている第２方向に調整するときに、第３風向調整部材１７０に加えて第１風向調整部材１５０を用いることにより、後方下側方向に効率的に風向を調整することができる。
【００７８】
（６）変形例Ｆ
以上の説明では、運転モードが暖房に設定されている場合を例に挙げたが、運転モードが加湿または加湿暖房に設定されている場合でも本発明を適用することができる。
【００７９】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【符号の説明】
【００８０】
１００  空気調和機
１１０  本体ケーシング
１１１  吹出口
１１３  案内流路
１１４  吹出流路
１５０  第１風向調整部材
１５３  テーパ部
１６０  第２風向調整部材
１７０  第３風向調整部材
１８０  制御部
３００  遠隔操作装置
【先行技術文献】
【特許文献】
【００８１】
【特許文献１】特開２００５−１６４０６６号公報
【図１】
0006269625.tif 000002
【図２】
0006269625.tif 000003
【図３】
0006269625.tif 000004
【図４】
0006269625.tif 000005
【図５】
0006269625.tif 000006
【図６】
0006269625.tif 000007